(57)【要約】【課題】患者に対して行われる複数の診療の診療内容を利用者が把握しやすい形式に並べて表示すること。【解決手段】表示制御装置１００は、複数の診療カテゴリのそれぞれについて、診療が行われる時間に対応する箇所にマーキングがなされた表示画面を表示する。表示制御装置１００は、表示した表示画面において、診療カテゴリ及び／又は時間の指定がなされた場合に、指定された箇所にマーキングが存在する診療カテゴリについて、診療内容を時系列順に表示する表示制御を行う。【選択図】図１
2015138535.tif 000002
【特許請求の範囲】
【請求項１】
コンピュータに、
複数の診療カテゴリのそれぞれについて、診療が行われる時間に対応する箇所にマーキングがなされた表示画面を表示し、
表示した前記表示画面において、診療カテゴリ及び／又は時間の指定がなされた場合に、指定された箇所にマーキングが存在する診療カテゴリについて、診療内容を時系列順に表示する表示制御を行う、
処理を実行させることを特徴とする表示制御プログラム。
【請求項２】
時系列順に表示される前記診療内容は、ポップアップ表示されることを特徴とする請求項１に記載の表示制御プログラム。
【請求項３】
前記指定は、ドラッグ操作によってなされる範囲指定によって行われることを特徴とする請求項１に記載の表示制御プログラム。
【請求項４】
コンピュータが、
複数の診療カテゴリのそれぞれについて、診療が行われる時間に対応する箇所にマーキングがなされた表示画面を表示し、
表示した前記表示画面において、診療カテゴリ及び／又は時間の指定がなされた場合に、指定された箇所にマーキングが存在する診療カテゴリについて、診療内容を時系列順に表示する表示制御を行う、
処理を実行することを特徴とする表示制御方法。
【請求項５】
複数の診療カテゴリのそれぞれについて、診療が行われる時間に対応する箇所にマーキングがなされた表示画面を表示し、表示した前記表示画面において、診療カテゴリ及び／又は時間の指定がなされた場合に、指定された箇所にマーキングが存在する診療カテゴリについて、診療内容を時系列順に表示する表示制御を行う制御部、
を有することを特徴とする表示制御装置。
【発明の詳細な説明】
【技術分野】
【０００１】
本発明は、表示制御プログラム、表示制御方法および表示制御装置に関する。
【背景技術】
【０００２】
従来、医師や看護師などが記録するカルテ（診療録）を、コンピュータを用いて電子的に記録、保存する電子カルテシステムがある。また、電子カルテシステムにおいて、医師や看護師などの利用者が、患者に対していつどの診療が行われるのかを把握するために、患者に対して行われる診療についてのタイムスケジュールを画面に表示する場合がある。
【０００３】
先行技術としては、例えば、デバイスにより指定されたセルと同列または同行のセルに既に入力されている語句を表計算データから抽出し、抽出した語句をポップアップメニューに表示する技術がある。また、セル指定情報で示された複数のセルの表における位置に基づく矩形の領域に含まれる全てのセルに関する情報を抽出し、抽出結果から軸部セルと対応する内部セルの組み合わせを判別した結果に応じて、該当する行または列を抽出して出力する技術がある。
【先行技術文献】
【特許文献】
【０００４】
【特許文献１】特開２００１−３２５０５３号公報
【特許文献２】特開平９−６２７４９号公報
【発明の概要】
【発明が解決しようとする課題】
【０００５】
しかしながら、従来技術によれば、患者に対して行われる複数の診療それぞれについての診療内容を確認するには、利用者が個別に診療内容を表示させることになり、利用者の利便性の低下を招くという問題がある。
【０００６】
一つの側面では、本発明は、患者に対して行われる複数の診療の診療内容を利用者が把握しやすい形式に並べて表示することができる表示制御プログラム、表示制御方法および表示制御装置を提供することを目的とする。
【課題を解決するための手段】
【０００７】
本発明の一側面によれば、複数の診療カテゴリのそれぞれについて、診療が行われる時間に対応する箇所にマーキングがなされた表示画面を表示し、表示した前記表示画面において、診療カテゴリ及び／又は時間の指定がなされた場合に、指定された箇所にマーキングが存在する診療カテゴリについて、診療内容を時系列順に表示する表示制御を行う表示制御プログラム、表示制御方法および表示制御装置が提案される。
【発明の効果】
【０００８】
本発明の一態様によれば、患者に対して行われる複数の診療の診療内容を利用者が把握しやすい形式に並べて表示することができるという効果を奏する。
【図面の簡単な説明】
【０００９】
【図１】図１は、実施の形態にかかる表示制御方法の一実施例を示す説明図である。
【図２】図２は、電子カルテシステム２００のシステム構成例を示す説明図である。
【図３】図３は、表示制御装置１００のハードウェア構成例を示すブロック図である。
【図４】図４は、クライアント装置２０１のハードウェア構成例を示すブロック図である。
【図５】図５は、患者ＤＢ２２０の記憶内容の一例を示す説明図である。
【図６】図６は、カルテインデックスＤＢ２３０の記憶内容の一例を示す説明図である。
【図７】図７は、カルテ内容ＤＢ２４０の記憶内容の一例を示す説明図である。
【図８】図８は、カルテ画面の画面例を示す説明図である。
【図９】図９は、カルテ画面内のイベント情報の具体例を示す説明図である。
【図１０】図１０は、表示制御装置１００の機能的構成例を示すブロック図である。
【図１１】図１１は、イベント画面の画面遷移例を示す説明図（その１）である。
【図１２】図１２は、イベント画面の画面遷移例を示す説明図（その２）である。
【図１３】図１３は、表示制御装置１００の第１表示制御処理手順の一例を示すフローチャートである。
【図１４】図１４は、表示制御装置１００の第２表示制御処理手順の一例を示すフローチャートである。
【発明を実施するための形態】
【００１０】
以下に図面を参照して、本発明にかかる表示制御プログラム、表示制御方法および表示制御装置の実施の形態を詳細に説明する。
【００１１】
（表示制御方法の一実施例）
図１は、実施の形態にかかる表示制御方法の一実施例を示す説明図である。図１において、表示制御装置１００は、複数の診療カテゴリのそれぞれについて、診療が行われる時間に対応する箇所にマーキングがなされた表示画面を表示するコンピュータである。
【００１２】
ここで、診療とは、医療従事者が、患者の診察や治療などの医療業務を行うことである。医療従事者とは、医療業務に従事する者であり、例えば、医師、看護師、薬剤師、救急救命士、理学療法士、作業療法士などである。診療が行われる時間とは、ある日に患者に対して診療が行われる予定の時間帯や時刻である。
【００１３】
患者に対していつどの診療を行うのかは、医療従事者によって計画される。診療カテゴリとは、医療従事者が患者に対して行う様々な診療を診療内容により分類したカテゴリである。診療カテゴリとしては、例えば、手術、内服（患者に薬を飲ませること）、注射、輸血、処置、検査、リハビリテーション、透析、給食などがある。
【００１４】
図１の例では、診療カテゴリＣ１〜Ｃ３のそれぞれについて、診療が行われる時間に対応する箇所に「●」が示された表示画面１１０が表示されている。表示画面１１０は、縦方向に診療カテゴリを並べ、横方向に時間を並べて、２０１３年１２月２４日の各時間帯に各診療カテゴリＣ１〜Ｃ３の診療が行われるか否かを２次元マップ化して表示する画面である。
【００１５】
表示画面１１０によれば、医療従事者は、２０１３年１２月２４日のどの時間帯にどのような診療が患者Ｘに対して行われるのかを直感的に把握することができる。例えば、医療従事者は、患者Ｘに対して、２０１３年１２月２４日の１１時台に、診療カテゴリＣ１の診療が行われることを把握することができる。
【００１６】
また、医療従事者は、患者に対して行われる診療について診療内容の詳細を確認したい場合がある。この場合、例えば、医療従事者の操作入力により、表示画面１１０上の診療が行われる時間に対応する箇所（例えば、図１中、「●」部分）を個別に指定して、指定した箇所に対応する診療についての診療内容を別画面に表示させることが考えられる。
【００１７】
ところが、診療内容の詳細を確認したい診療ごとに個別に指定操作を行って別画面に表示させるのは利用者（医療従事者）にとって手間であり不便である。また、複数の診療についての診療内容を見比べたい場合に、それぞれ別画面に診療内容が表示されると、診療内容同士を比較しにくく、また、画面を行き来することになり不便である。
【００１８】
そこで、本実施の形態では、患者に対して行われる複数の診療の診療内容を利用者が把握しやすい形式に並び替えて表示する表示制御方法について説明する。以下、表示制御装置１００の表示制御処理例について説明する。
【００１９】
（１）表示制御装置１００は、複数の診療カテゴリのそれぞれについて、診療が行われる時間に対応する箇所にマーキングがなされた表示画面を表示する。具体的には、例えば、表示制御装置１００は、診療カテゴリＣ１〜Ｃ３のそれぞれについて、診療が行われる時間に対応する箇所に「●」が示された表示画面１１０の画面情報を生成する。
【００２０】
そして、表示制御装置１００は、生成した表示画面１１０の画面情報に基づいて、表示画面１１０を表示する。この際、表示制御装置１００は、表示制御装置１００が有するディスプレイに表示画面１１０を表示することにしてもよく、また、表示制御装置１００に接続された他のコンピュータのディスプレイに表示画面１１０を表示する制御を行うことにしてもよい。
【００２１】
なお、患者に対していつどのような診療を行うのかについての情報（例えば、後述する図２、図６に示すカルテインデックスＤＢ２３０）は、表示制御装置１００がアクセス可能な記憶装置に格納されている。
【００２２】
（２）表示制御装置１００は、表示した表示画面において、診療カテゴリ及び／又は時間の指定がなされた場合に、指定された箇所にマーキングが存在する診療カテゴリについて、診療内容を時系列順に表示する表示制御を行う。具体的には、例えば、表示制御装置１００は、表示した表示画面１１０において、利用者の操作入力により、診療カテゴリ及び／又は時間の指定を受け付ける。
【００２３】
ここで、利用者のドラッグ操作によって表示画面１１０上の範囲１２０が指定された場合を想定する。この場合、表示制御装置１００は、表示画面１１０上の範囲１２０内にマーキングが存在する、すなわち、範囲１２０内で「●」が示されている診療カテゴリについて、診療内容を時系列順に表示する。
【００２４】
図１の例では、表示画面１１０において、診療カテゴリＣ２の診療内容情報１２１、診療カテゴリＣ１の診療内容情報１２２および診療カテゴリＣ３の診療内容情報１２３が時系列順にポップアップ表示されている。また、各診療内容情報１２１〜１２３には、各診療の実施予定日時とともに、各診療の診療内容が表示されている。
【００２５】
なお、患者に対して行われる診療の診療内容についての情報（例えば、後述する図２、図７に示すカルテ内容ＤＢ２４０）は、表示制御装置１００がアクセス可能な記憶装置に格納されている。
【００２６】
このように、表示制御装置１００によれば、複数の診療カテゴリのそれぞれについて、診療が行われる時間に対応する箇所にマーキングがなされた表示画面１１０を表示することができる。これにより、当日のどの時間帯にどのような診療を患者に対して行うのかを利用者に把握しやすくすることができる。
【００２７】
また、表示制御装置１００によれば、表示した表示画面１１０において、診療カテゴリ及び／又は時間の指定がなされた場合に、指定された箇所にマーキングが存在する診療カテゴリについて、診療内容を時系列順に表示することができる。これにより、患者に対して行う複数の診療の診療内容を利用者が把握しやすい形式に並べて表示することができる。
【００２８】
具体的には、例えば、利用者のドラッグ操作などによって患者に対して行われる複数の診療を指定することで、指定した複数の診療の診療内容を実施予定日時が早いものから順に並べてポップアップ表示することができる。これにより、利用者は、患者に対して行われる異なる診療内容を比較しやすくなり、利用者の利便性を向上させることができる。
【００２９】
（電子カルテシステム２００のシステム構成例）
つぎに、図１に示した表示制御装置１００を電子カルテシステムに適用した場合について説明する。電子カルテシステムは、医師や看護師などの医療従事者が記録するカルテを、コンピュータを用いて電子的に記録、保存するシステムである。カルテは、患者の病状、処置、経過などを記録した診療録である。
【００３０】
図２は、電子カルテシステム２００のシステム構成例を示す説明図である。図２において、電子カルテシステム２００は、表示制御装置１００と、複数のクライアント装置２０１と、を含む構成である。電子カルテシステム２００において、表示制御装置１００とクライアント装置２０１は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３１】
ここで、表示制御装置１００は、患者ＤＢ（データベース）２２０、カルテインデックスＤＢ２３０およびカルテ内容ＤＢ２４０を有し、クライアント装置２０１の表示制御を行うコンピュータである。表示制御装置１００は、例えば、サーバである。各種ＤＢ２２０，２３０，２４０の記憶内容については、図５〜図７を用いて後述する。
【００３２】
クライアント装置２０１は、ディスプレイ（例えば、後述する図４に示すディスプレイ４０５）を有し、表示制御装置１００の表示制御にしたがって、カルテ画面を表示可能なコンピュータである。クライアント装置２０１は、例えば、医療従事者が使用するＰＣ（パーソナル・コンピュータ）、ノートＰＣ、タブレット型ＰＣ、スマートフォンなどである。
【００３３】
カルテ画面は、患者の病状、処置、経過などを記録したカルテを表示する画面である。カルテ画面には、初診、再診、入院などの患者の状況に応じて様々な内容を表示することができる。カルテ画面の具体例については、図８を用いて後述する。
【００３４】
（表示制御装置１００のハードウェア構成例）
図３は、表示制御装置１００のハードウェア構成例を示すブロック図である。図３において、表示制御装置１００は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３５】
ここで、ＣＰＵ３０１は、表示制御装置１００の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３６】
Ｉ／Ｆ３０３は、通信回線を通じてネットワーク２１０に接続され、ネットワーク２１０を介して他のコンピュータ（例えば、図２に示したクライアント装置２０１）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００３７】
ディスクドライブ３０４は、ＣＰＵ３０１の制御にしたがってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。なお、表示制御装置１００は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００３８】
（クライアント装置２０１のハードウェア構成例）
図４は、クライアント装置２０１のハードウェア構成例を示すブロック図である。図４において、クライアント装置２０１は、ＣＰＵ４０１と、メモリ４０２と、ディスクドライブ４０３と、ディスク４０４と、ディスプレイ４０５と、Ｉ／Ｆ４０６と、キーボード４０７と、マウス４０８と、スキャナ４０９と、プリンタ４１０と、を有する。また、各構成部はバス４００によってそれぞれ接続される。
【００３９】
ここで、ＣＰＵ４０１は、クライアント装置２０１の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４０】
ディスクドライブ４０３は、ＣＰＵ４０１の制御にしたがってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００４１】
ディスプレイ４０５は、カーソル、アイコンあるいはツールボックスをはじめ、文書、画像、機能情報などのデータを表示する。ディスプレイ４０５は、例えば、ＣＲＴ、ＴＦＴ液晶ディスプレイ、プラズマディスプレイなどを採用することができる。
【００４２】
Ｉ／Ｆ４０６は、通信回線を通じてネットワーク２１０に接続され、ネットワーク２１０を介して他のコンピュータ（例えば、表示制御装置１００）に接続される。そして、Ｉ／Ｆ４０６は、ネットワーク２１０と内部のインターフェースを司り、他のコンピュータからのデータの入出力を制御する。Ｉ／Ｆ４０６には、例えば、モデムやＬＡＮアダプタなどを採用することができる。
【００４３】
キーボード４０７は、文字、数字、各種指示などの入力のためのキーを備え、データの入力を行う。キーボード４０７は、タッチパネル式の入力パッドやテンキーなどであってもよい。マウス４０８は、カーソルの移動や範囲選択、あるいはウィンドウの移動やサイズの変更などを行う。
【００４４】
スキャナ４０９は、画像を光学的に読み取り、クライアント装置２０１内に画像データを取り込む。スキャナ４０９は、ＯＣＲ（Ｏｐｔｉｃａｌ  Ｃｈａｒａｃｔｅｒ  Ｒｅａｄｅｒ）機能を有していてもよい。プリンタ４１０は、画像データや文書データを印刷する。プリンタ４１０には、例えば、レーザプリンタやインクジェットプリンタを採用することができる。
【００４５】
なお、クライアント装置２０１は、例えば、上述した構成部のうち、スキャナ４０９、プリンタ４１０などを有さないことにしてもよい。
【００４６】
（各種ＤＢ２２０，２３０，２４０の記憶内容）
つぎに、図５〜図７を用いて各種ＤＢ２２０，２３０，２４０の記憶内容について説明する。各種ＤＢ２２０，２３０，２４０は、例えば、図３に示した表示制御装置１００のメモリ３０２、ディスク３０５により実現される。
【００４７】
図５は、患者ＤＢ２２０の記憶内容の一例を示す説明図である。図５において、患者ＤＢ２２０は、患者番号と患者情報とを対応付けて記憶する。ここで、患者番号は、患者を一意に識別する識別子である。患者情報は、患者の氏名、年齢、生年月日、性別、血液型、病状、処置、経過などの情報を含む。
【００４８】
図６は、カルテインデックスＤＢ２３０の記憶内容の一例を示す説明図である。図６において、カルテインデックスＤＢ２３０は、患者番号、カルテキー番号、版数、文書種別、実施予定日時、実施フラグおよびアクティブフラグのフィールドを有する。各フィールドに情報を設定することで、カルテインデックス情報（例えば、カルテインデックス情報６００−１〜６００−３）がレコードとして記憶される。
【００４９】
ここで、患者番号は、患者を一意に識別する識別子である。カルテキー番号は、カルテを一意に識別する識別子である。版数は、カルテの版数である。文書種別は、カルテの種別であり、上述した診療カテゴリに対応する。文書種別としては、例えば、手術、内服、注射、輸血、処置、検査、リハビリテーション、透析、給食などがある。
【００５０】
実施予定日時は、カルテに記載された診療が実施される予定日時である。実施予定日時は指定されていない場合がある。例えば、ある症状が出た場合に実施される診療の場合、実施予定日時は指定されない。実施フラグは、診療が実施されたか否かを示す情報である。実施フラグは、初期状態では「０」である。実施フラグが「０」の場合は診療が実施されていないことを示し、実施フラグが「１」の場合は診療が実施されたことを示す。
【００５１】
アクティブフラグは、カルテインデックス情報が有効であるか否かを示す情報である。アクティブフラグは、初期状態では「１」である。アクティブフラグが「０」の場合はカルテインデックス情報が有効ではないことを示し、アクティブフラグが「１」の場合はカルテインデックス情報が有効であることを示す。
【００５２】
例えば、カルテインデックス情報６００−１は、患者番号「Ｐ１」、カルテキー番号「ｋ１」、版数「１」、文書種別「手術」、実施予定日時「２０１３年６月１８日１５時１５分」、実施フラグ「０」およびアクティブフラグ「１」を示す。
【００５３】
また、カルテｋ１が版数「１」から版数「２」に改版されると、カルテインデックス情報６００−１のアクティブフラグに「０」が設定され、版数「２」のカルテｋ１のカルテインデックス情報が新規登録される。また、カルテｋ１が削除されると、カルテインデックス情報６００−１のアクティブフラグに「０」が設定される。
【００５４】
図示は省略するが、カルテインデックス情報は、例えば、診療科、外来／入院区分、依頼者、カルテ記載日時、文書状態などの情報を含むことにしてもよい。診療科は、患者の診療を行う診療科である。外来／入院区分は、患者が外来患者であるか入院患者であるかを区別する情報である。依頼者は、患者に対する診療を依頼した医療従事者である。カルテ記載日時は、カルテを記載した日時である。
【００５５】
文書状態は、カルテの状態を示す情報である。上述した実施フラグは、文書状態の一例である。文書状態の他の例としては、受付フラグ、受付日時、受付者、実施日時、実施者、結果フラグ、結果日時、結果送信者、削除フラグ、削除日時、削除操作者などがある。受付フラグは、診療の依頼を受け付けたか否かを示す情報である。受付日時は、診療の依頼を受け付けた日時である。受付者は、診療の依頼を受け付けた医療従事者である。
【００５６】
実施日時は、診療を実施した日時である。実施者は、診療を実施した医療従事者である。結果フラグは、診療結果の有無を示す情報である。結果日時は、診療結果が出た日時である。結果送信者は、診療結果を送信した医療従事者である。削除フラグは、カルテを削除したか否かを示す情報である。削除日時は、カルテを削除した日時である。削除操作者は、カルテを削除した医療従事者である。
【００５７】
図７は、カルテ内容ＤＢ２４０の記憶内容の一例を示す説明図である。図７において、カルテ内容ＤＢ２４０は、患者番号、カルテキー番号、版数およびカルテ情報のフィールドを有する。各フィールドに情報を設定することで、カルテ内容情報（例えば、カルテ内容情報７００−１〜７００−３）がレコードとして記憶される。
【００５８】
ここで、患者番号は、患者を一意に識別する識別子である。カルテキー番号は、カルテを一意に識別する識別子である。版数は、カルテの版数である。カルテ情報は、患者に対して実施される、あるいは、患者に対して実施された診療の診療内容を含む情報である。例えば、カルテ内容情報７００−１は、患者Ｐ１の版数「１」のカルテｋ１のカルテ情報ＫＤ１を示す。
【００５９】
（カルテ画面の画面例）
つぎに、表示制御装置１００の表示制御にしたがって、クライアント装置２０１のディスプレイ４０５に表示されるカルテ画面の画面例について説明する。ここでは、入院患者のカルテ画面を例に挙げて説明する。
【００６０】
図８は、カルテ画面の画面例を示す説明図である。図８において、カルテ画面８００は、患者バー８１０と、管理画面８２０と、ダッシュボード８３０と、を含む。ここで、患者バー８１０は、診療に必要な患者の識別情報、身体特記事項、環境特記事項などを表示する画面である。患者バー８１０によれば、利用者は、どの患者のカルテ画面を表示しているのかを把握することができる。
【００６１】
管理画面８２０は、利用者条件の設定や各種ツールの起動を行う画面である。また、管理画面８２０には、患者一覧が表示される。利用者は、患者一覧からいずれかの患者を指定することで、指定した患者のカルテ画面を表示することができる。ダッシュボード８３０は、各利用者が初診時、再診時、入院時等それぞれの診療に応じた情報を配置できる領域である。
【００６２】
図８の例では、ダッシュボード８３０には、バイタル画面８３１、レポート画面８３２、薬歴画面８３３およびイベント画面８３４が表示されている。バイタル画面８３１は、患者の心拍数（ＨＲ）、呼吸数（ＲＲ）、血圧（ＢＰ）などのバイタルサインを示す。レポート画面８３２は、患者の各部を撮影した際のレポートを示す。薬歴画面８３３は、患者の薬歴を時系列に示す。
【００６３】
イベント画面８３４は、当日に行われる患者に対する診療を時間帯ごとに示す。以下、図９を用いて、カルテ画面８００内のイベント画面８３４について具体的に説明する。
【００６４】
図９は、カルテ画面内のイベント情報の具体例を示す説明図である。図９において、イベント画面８３４は、複数の診療カテゴリのそれぞれについて、当日「２０１３年６月１８日」の診療が行われる時間に対応する箇所にアイコンｎ１〜ｎ２１がマッピングされた表示画面である。
【００６５】
イベント画面８３４では、診療カテゴリとして、手術、内服、注射・輸血、処置、検査、リハ・透析、指示簿、看護指示、移動・給食、その他が表示されている。なお、リハ・透析は、リハビリテーションまたは透析を示す。指示簿は、医師から看護師への指示を示す。看護指示は、看護師が組み立てた看護業務に必要な指示である。
【００６６】
イベント画面８３４によれば、利用者は、２０１３年６月１８日のどの時間帯にどのような診療を患者に対して行うのかを直感的に把握することができる。例えば、利用者は、２０１３年６月１８日の１５時台に患者に対して手術を行う予定であることを把握することができる。
【００６７】
また、イベント画面８３４では、現在時刻よりも前の時間に対応する箇所の背景色（図９の例では、灰色）と、現在時刻以降の時間に対応する箇所の背景色（図９の例では、白色）とが異なる色で表示されている。さらに、イベント画面８３４では、現在時刻よりも前に実施予定であった診療のうちの未実施の診療に対応するアイコンが強調表示されている。
【００６８】
図９の例では、２０１３年６月１８日の１３時台に行われる予定の診療カテゴリ「内服」についての診療が未実施のため、イベント画面８３４内の対応するアイコンｎ３の枠線の色が、他のアイコン（例えば、アイコンｎ２）の枠線とは異なる色に変更されている。これにより、利用者は、現在時刻よりも前に実施予定であった診療のうちの未実施の診療を把握することができる。
【００６９】
なお、イベント画面８３４において、図４に示したクライアント装置２０１のキーボード４０７やマウス４０８を用いた利用者の操作入力により、ボックス９０１をクリックすることで、イベント画面８３４を表示する日付を選択することができる。
【００７０】
（表示制御装置１００の機能的構成例）
図１０は、表示制御装置１００の機能的構成例を示すブロック図である。図１０において、表示制御装置１００は、取得部１００１と、生成部１００２と、表示制御部１００３と、受付部１００４と、を含む構成である。取得部１００１〜受付部１００４は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００７１】
取得部１００１は、対象患者のカルテインデックス情報を取得する機能を有する。ここで、対象患者は、カルテ画面（例えば、図８に示したカルテ画面８００）を表示する患者である。対象患者は、例えば、カルテ画面８００内の管理画面８２０に表示される患者一覧から指定することができる。
【００７２】
具体的には、例えば、取得部１００１は、カルテインデックスＤＢ２３０（図６参照）から、対象患者の患者番号が設定されたカルテインデックス情報のうち実施予定日時が当日のカルテインデックス情報を取得する。当日の日付は、初期設定として現在日が設定される。
【００７３】
また、例えば、クライアント装置２０１のキーボード４０７やマウス４０８を用いた利用者の操作入力により、図９に示したイベント画面８３４内のボックス９０１をクリックすることで、当日の日付を選択することができる。この場合、当日の日付は、選択された日付に設定される。
【００７４】
生成部１００２は、取得された対象患者のカルテインデックス情報に基づいて、対象患者のイベント画面を生成する機能を有する。ここで、イベント画面は、複数の診療カテゴリのそれぞれについて、診療が行われる時間に対応する箇所にマーキングがなされた表示画面であり、例えば、図８および図９に示したイベント画面８３４である。
【００７５】
具体的には、例えば、まず、生成部１００２は、イベント画面のテンプレートをメモリ３０２から読み出す。イベント画面のテンプレートは、縦方向（あるいは、横方向）に診療カテゴリを並べ、横方向（あるいは、縦方向）に時間を並べて、診療が行われる時間に対応する箇所にアイコンを表示可能な表示画面のテンプレートである。
【００７６】
すなわち、イベント画面のテンプレートは、例えば、イベント画面８３４におけるアイコンｎ１〜ｎ２１が表示されていないものである。また、イベント画面のテンプレートは、利用者の勤務時間帯や利用者が指定する診療科などに応じて複数種類用意されることにしてもよい。イベント画面８３４は、勤務時間帯が「全日」、診療科が「全科」の場合の例である。
【００７７】
つぎに、生成部１００２は、取得された対象患者のカルテインデックス情報の文書種別、実施予定日時から、イベント画面において、診療が行われる時間に対応する箇所を特定する。例えば、カルテインデックス情報の文書種別を「手術」とし、実施予定日時を「１５時３０分」とする。
【００７８】
この場合、生成部１００２は、イベント画面のうちの診療カテゴリ「手術」および時間「１５」に対応する箇所を特定する。そして、生成部１００２は、特定した箇所に、文書種別（診療カテゴリ）に対応するアイコンをマッピングする。これにより、対象患者のイベント画面を生成することができる。
【００７９】
なお、各文書種別（診療カテゴリ）に対応するアイコンは、例えば、予め設定されてメモリ３０２に記憶されている。診療カテゴリに対応するアイコンとしては、例えば、診療カテゴリを連想しやすい図形や記号が用いられる。具体的には、例えば、診療カテゴリ「手術」の場合、医療従事者が手術を連想しやすいメスやピンセットなどの医療器具を模したアイコンが用いられる。
【００８０】
また、生成部１００２は、イベント画面において、現在時刻よりも前の時間に対応する箇所の背景色を、現在時刻以降の時間に対応する箇所の背景色と異なる色に変更することにしてもよい。具体的には、例えば、イベント画面において、現在時刻よりも前の時間帯を特定し、特定した時間帯に対応する箇所の背景色を、予め設定された異なる色に変更する。
【００８１】
また、生成部１００２は、イベント画面において、現在時刻よりも前の時間に実施予定の診療のうち未実施の診療に対応するアイコンを、他のアイコンとは異なる色に変更することにしてもよい。具体的には、例えば、生成部１００２は、現在時刻よりも前の時間に実施予定の診療のうち未実施の診療に対応するアイコンの枠線の色を、他のアイコンの枠線の色とは異なる色に変更することにしてもよい。
【００８２】
表示制御部１００３は、生成された対象患者のイベント画面を表示する制御を行う機能を有する。具体的には、例えば、表示制御部１００３は、イベント画面８３４を含むカルテ画面８００を、クライアント装置２０１のディスプレイ４０５に表示する制御を行う。なお、カルテ画面８００に含まれる患者バー８１０、バイタル画面８３１、レポート画面８３２および薬歴画面８３３については、例えば、表示制御装置１００が、患者ＤＢ２２０に記憶された対象患者の患者情報に基づいて生成することができる。
【００８３】
受付部１００４は、イベント画面において、診療カテゴリ及び／又は時間の指定を受け付ける機能を有する。具体的には、例えば、受付部１００４は、キーボード４０７やマウス４０８を用いた利用者の操作入力を示す操作情報をクライアント装置２０１から受信することにより、診療カテゴリ及び／又は時間の指定を受け付ける。
【００８４】
診療カテゴリ及び／又は時間の指定は、例えば、ドラッグ操作によってなされる範囲指定により行われる。また、診療カテゴリ及び／又は時間の指定は、例えば、クリック操作により行われることにしてもよい。この際、受付部１００４は、複数の診療カテゴリ及び／又は時間の指定を受け付けることにしてもよい。
【００８５】
例えば、イベント画面８３４において、クリック操作により診療カテゴリ「手術」が指定されると、診療カテゴリ「手術」に対応する横一列のセル群が範囲指定される。また、例えば、イベント画面８３４において、クリック操作により時間「８」が指定されると、時間「８」に対応する縦一列のセル群が範囲指定される。なお、ドラッグ操作によってなされる範囲指定については、図１１を用いて後述する。
【００８６】
生成部１００２は、イベント画面において、診療カテゴリ及び／又は時間の指定を受け付けた場合に、指定された箇所にマーキングが存在する診療カテゴリについて、診療内容を時系列順に表示する診療内容画面を生成する機能を有する。具体的には、例えば、まず、生成部１００２は、指定された箇所にマッピングされたアイコンに対応するカルテインデックス情報を特定する。
【００８７】
つぎに、生成部１００２は、カルテ内容ＤＢ２４０（図７参照）から、特定したカルテインデックス情報のカルテキー番号と版数の組み合わせに対応するカルテ内容情報を取得する。そして、生成部１００２は、取得したカルテ内容情報のカルテ情報を、カルテインデックス情報の実施予定日時が早いものから順に並べた診療内容画面を生成する。
【００８８】
表示制御部１００３は、生成された診療内容画面を表示する制御を行う機能を有する。具体的には、例えば、表示制御部１００３は、クライアント装置２０１のディスプレイ４０５に表示されたイベント画面８３４において、後述の図１２に示すような診療内容画面１２００をポップアップ表示する制御を行う。
【００８９】
（イベント画面の画面遷移例）
つぎに、図９に示したイベント画面８３４を例に挙げて、イベント画面８３４の画面遷移例について説明する。
【００９０】
図１１および図１２は、イベント画面の画面遷移例を示す説明図である。図１１に示すように、イベント画面８３４において、キーボード４０７やマウス４０８を用いた利用者のドラッグ操作によって範囲１１００が指定されている。
【００９１】
この場合、生成部１００２は、指定された範囲１１００内にマッピングされたアイコンｎ３，ｎ８，ｎ９に対応するカルテインデックス情報を特定する。例えば、アイコンｎ３に対応するカルテインデックス情報は、文書種別が「内服」かつ実施予定日時が「１３時台」のカルテインデックス情報６００−３（図６参照）である。
【００９２】
つぎに、生成部１００２は、カルテ内容ＤＢ２４０から、特定した各カルテインデックス情報のカルテキー番号と版数の組み合わせに対応するカルテ内容情報をそれぞれ取得する。例えば、カルテインデックス情報６００−３のカルテキー番号「ｋ３」と版数「１」の組み合わせに対応するカルテ内容情報は、カルテ内容情報７００−３（図７参照）である。
【００９３】
そして、生成部１００２は、それぞれ取得したカルテ内容情報のカルテ情報を、対応するカルテインデックス情報の実施予定日時が早いものから順に並べた診療内容画面１２００（図１２参照）を生成する。例えば、カルテ内容情報７００−３のカルテ情報ＫＤ３に対応するカルテインデックス情報６００−３の実施予定日時は「２０１３年６月１８日１３時３０分」である。
【００９４】
この場合、図１２に示すように、表示制御部１００３は、イベント画面８３４において診療内容画面１２００をポップアップ表示する制御を行う。ここで、診療内容画面１２００は、診療内容情報１２０１〜１２０３を含む。診療内容情報１２０１〜１２０３には、カルテ内容情報のカルテ情報とともに実施予定日時が記載される。
【００９５】
例えば、診療内容情報１２０２には、カルテ内容情報７００−３のカルテ情報ＫＤ３とともに実施予定日時「２０１３／０６／１８（火）１３：３０」が記載されている。また、各診療内容情報１２０１〜１２０３には、各診療が実施済みであるか否かを示すアイコン１２０４〜１２０６が表示される。アイコン１２０４は、診療内容情報１２０１に記載された診療が実施済みであることを示す。一方、アイコン１２０５，１２０６は、診療内容情報１２０２，１２０３に記載された診療が未実施であることを示す。
【００９６】
診療内容画面１２００によれば、利用者は、ドラッグ操作によって指定した範囲１１００内にマッピングされたアイコンｎ３，ｎ８，ｎ９に対応する診療カテゴリ「内服」、「処置」および「検査」についての診療内容を時系列順に確認することができる。この際、患者に対して行われる複数の診療の診療内容が一括して表示されるため、利用者は診療内容を比較しやすくなる。また、利用者は、アイコン１２０５，１２０６から未実施の診療を把握することができ、患者に対する対応漏れを防ぐことができる。
【００９７】
（表示制御装置１００の表示制御処理手順）
つぎに、表示制御装置１００の表示制御処理手順について説明する。まず、表示制御装置１００の第１表示制御処理手順について説明する。第１表示制御処理は、クライアント装置２０１のディスプレイ４０５に対象患者のイベント画面を表示する制御を行う処理である。
【００９８】
図１３は、表示制御装置１００の第１表示制御処理手順の一例を示すフローチャートである。図１３のフローチャートにおいて、まず、表示制御装置１００は、カルテインデックスＤＢ２３０から、対象患者の患者番号が設定されたカルテインデックス情報のうち実施予定日時が当日のカルテインデックス情報を取得する（ステップＳ１３０１）。
【００９９】
つぎに、表示制御装置１００は、取得したカルテインデックス情報から未選択のカルテインデックス情報を選択する（ステップＳ１３０２）。そして、表示制御装置１００は、選択したカルテインデックス情報の文書種別、実施予定日時から、イベント画面において、診療が行われる時間に対応する箇所を特定する（ステップＳ１３０３）。つぎに、表示制御装置１００は、特定した箇所に、文書種別（診療カテゴリ）に対応するアイコンをマッピングする（ステップＳ１３０４）。
【０１００】
そして、表示制御装置１００は、ステップＳ１３０１において取得したカルテインデックス情報から選択していない未選択のカルテインデックス情報があるか否かを判断する（ステップＳ１３０５）。ここで、未選択のカルテインデックス情報がある場合（ステップＳ１３０５：Ｙｅｓ）、表示制御装置１００は、ステップＳ１３０２に戻る。
【０１０１】
一方、未選択のカルテインデックス情報がない場合（ステップＳ１３０５：Ｎｏ）、表示制御装置１００は、イベント画面において、現在時刻よりも前の時間帯を特定する（ステップＳ１３０６）。そして、表示制御装置１００は、イベント画面の特定した時間帯に対応する箇所の背景色を、予め設定された異なる色に変更する（ステップＳ１３０７）。
【０１０２】
つぎに、表示制御装置１００は、ステップＳ１３０１において取得したカルテインデックス情報の実施フラグを参照して、現在時刻よりも前の時間に実施予定の診療のうち未実施の診療に対応するアイコンを特定する（ステップＳ１３０８）。そして、表示制御装置１００は、特定したアイコンの枠線の色を、他のアイコンの枠線の色とは異なる色に変更する（ステップＳ１３０９）。
【０１０３】
そして、表示制御装置１００は、生成した対象患者のイベント画面を、クライアント装置２０１のディスプレイ４０５に表示する制御を行って（ステップＳ１３１０）、本フローチャートによる一連の処理を終了する。
【０１０４】
これにより、クライアント装置２０１のディスプレイ４０５に、複数の診療カテゴリのそれぞれについて、診療が行われる時間に対応する箇所にアイコンがマッピングされたイベント画面を表示することができる。
【０１０５】
つぎに、表示制御装置１００の第２表示制御処理手順について説明する。第２表示制御処理は、クライアント装置２０１のディスプレイ４０５に診療内容画面をポップアップ表示する制御を行う処理である。
【０１０６】
図１４は、表示制御装置１００の第２表示制御処理手順の一例を示すフローチャートである。図１４のフローチャートにおいて、まず、表示制御装置１００は、クライアント装置２０１のディスプレイ４０５に表示されたイベント画面において、利用者のドラッグ操作によって範囲指定がなされたか否かを判断する（ステップＳ１４０１）。
【０１０７】
ここで、表示制御装置１００は、範囲指定がなされるのを待つ（ステップＳ１４０１：Ｎｏ）。そして、表示制御装置１００は、範囲指定がなされると（ステップＳ１４０１：Ｙｅｓ）、指定された範囲内にマッピングされた未選択のアイコンを選択する（ステップＳ１４０２）。
【０１０８】
つぎに、表示制御装置１００は、図１３に示したステップＳ１３０１において取得したカルテインデックス情報から、選択したアイコンに対応するカルテインデックス情報を特定する（ステップＳ１４０３）。そして、表示制御装置１００は、カルテ内容ＤＢ２４０から、特定したカルテインデックス情報のカルテキー番号と版数の組み合わせに対応するカルテ内容情報を取得する（ステップＳ１４０４）。
【０１０９】
つぎに、表示制御装置１００は、ステップＳ１４０３において特定したカルテインデックス情報と、ステップＳ１４０４において取得したカルテ内容情報とに基づいて、診療内容情報を生成する（ステップＳ１４０５）。そして、表示制御装置１００は、指定された範囲内に選択されていない未選択のアイコンがあるか否かを判断する（ステップＳ１４０６）。
【０１１０】
ここで、未選択のアイコンがある場合（ステップＳ１４０６：Ｙｅｓ）、表示制御装置１００は、ステップＳ１４０２に戻る。一方、未選択のアイコンがない場合（ステップＳ１４０６：Ｎｏ）、表示制御装置１００は、生成した診療内容情報を実施予定日時が早いものから順に並べた診療内容画面を生成する（ステップＳ１４０７）。
【０１１１】
そして、表示制御装置１００は、クライアント装置２０１のディスプレイ４０５に表示されたイベント画面において、生成した診療内容画面をポップアップ表示する制御を行って（ステップＳ１４０８）、本フローチャートによる一連の処理を終了する。
【０１１２】
これにより、ディスプレイ４０５に表示されたイベント画面において、診療カテゴリ及び／又は時間の指定がなされた場合に、指定された箇所にアイコンがマッピングされた診療カテゴリについて、診療内容を時系列順にポップアップ表示することができる。
【０１１３】
以上説明したように、実施の形態にかかる表示制御装置１００によれば、複数の診療カテゴリのそれぞれについて、診療が行われる時間に対応する箇所にアイコンがマッピングされたイベント画面を表示することができる。これにより、当日のどの時間帯にどのような診療を患者に対して行うのかを利用者に把握しやすくすることができる。
【０１１４】
また、表示制御装置１００によれば、表示したイベント画面において、診療カテゴリ及び／又は時間の指定がなされた場合に、指定された箇所にアイコンが存在する診療カテゴリについて、診療内容を時系列順にポップアップ表示することができる。これにより、患者に対して行う複数の診療の診療内容を利用者が把握しやすい形式に並び替えて表示することができる。
【０１１５】
また、表示制御装置１００によれば、表示したイベント画面において、現在時刻よりも前の時間に対応する箇所の背景色を、現在時刻以降の時間に対応する箇所の背景色と異なる色に変更することができる。これにより、現在時刻よりも前の時間に実施予定の診療と、現在時刻以降の時間に実施予定の診療とを利用者に区別しやすくすることができる。
【０１１６】
また、表示制御装置１００によれば、表示したイベント画面において、現在時刻よりも前に実施予定の診療のうちの未実施の診療が行われる時間に対応する箇所にマッピングされたアイコンを強調表示することができる。これにより、利用者は、現在時刻よりも前に実施予定であった診療のうちの未実施の診療を把握することができる。
【０１１７】
なお、本実施の形態で説明した表示制御方法は、予め用意されたプログラムをパーソナル・コンピュータやワークステーション等のコンピュータで実行することにより実現することができる。本表示制御プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本表示制御プログラムは、インターネット等のネットワークを介して配布してもよい。
【０１１８】
上述した実施の形態に関し、さらに以下の付記を開示する。
【０１１９】
（付記１）コンピュータに、
複数の診療カテゴリのそれぞれについて、診療が行われる時間に対応する箇所にマーキングがなされた表示画面を表示し、
表示した前記表示画面において、診療カテゴリ及び／又は時間の指定がなされた場合に、指定された箇所にマーキングが存在する診療カテゴリについて、診療内容を時系列順に表示する表示制御を行う、
処理を実行させることを特徴とする表示制御プログラム。
【０１２０】
（付記２）時系列順に表示される前記診療内容は、ポップアップ表示されることを特徴とする付記１に記載の表示制御プログラム。
【０１２１】
（付記３）前記指定は、ドラッグ操作によってなされる範囲指定によって行われることを特徴とする付記１に記載の表示制御プログラム。
【０１２２】
（付記４）前記表示画面を表示する処理は、
現在時刻よりも前に実施予定の診療のうちの未実施の診療が行われる時間に対応する箇所になされたマーキングを強調表示することを特徴とする付記１〜３のいずれか一つに記載の表示制御プログラム。
【０１２３】
（付記５）コンピュータが、
複数の診療カテゴリのそれぞれについて、診療が行われる時間に対応する箇所にマーキングがなされた表示画面を表示し、
表示した前記表示画面において、診療カテゴリ及び／又は時間の指定がなされた場合に、指定された箇所にマーキングが存在する診療カテゴリについて、診療内容を時系列順に表示する表示制御を行う、
処理を実行することを特徴とする表示制御方法。
【０１２４】
（付記６）複数の診療カテゴリのそれぞれについて、診療が行われる時間に対応する箇所にマーキングがなされた表示画面を表示し、表示した前記表示画面において、診療カテゴリ及び／又は時間の指定がなされた場合に、指定された箇所にマーキングが存在する診療カテゴリについて、診療内容を時系列順に表示する表示制御を行う制御部、
を有することを特徴とする表示制御装置。
【０１２５】
（付記７）コンピュータに、
複数の診療カテゴリのそれぞれについて、診療が行われる時間に対応する箇所にマーキングがなされた表示画面を表示し、
表示した前記表示画面において、診療カテゴリ及び／又は時間の指定がなされた場合に、指定された箇所にマーキングが存在する診療カテゴリについて、診療内容を時系列順に表示する表示制御を行う、
処理を実行させる表示制御プログラムを記録したことを特徴とする前記コンピュータに読み取り可能な記録媒体。
【符号の説明】
【０１２６】
１００  表示制御装置
２００  電子カルテシステム
２０１  クライアント装置
２２０  患者ＤＢ
２３０  カルテインデックスＤＢ
２４０  カルテ内容ＤＢ
８００  カルテ画面
８１０  患者バー
８２０  管理画面
８３０  ダッシュボード
８３１  バイタル画面
８３２  レポート画面
８３３  薬歴画面
８３４  イベント画面
１００１  取得部
１００２  生成部
１００３  表示制御部
１００４  受付部
【図１】
2015138535.tif 000003
【図２】
2015138535.tif 000004
【図３】
2015138535.tif 000005
【図４】
2015138535.tif 000006
【図５】
2015138535.tif 000007
【図６】
2015138535.tif 000008
【図７】
2015138535.tif 000009
【図８】
2015138535.tif 000010
【図９】
2015138535.tif 000011
【図１０】
2015138535.tif 000012
【図１１】
2015138535.tif 000013
【図１２】
2015138535.tif 000014
【図１３】
2015138535.tif 000015
【図１４】
2015138535.tif 000016